(57)【要約】【課題】支持性とクッション性との両立を好適に図ることができるマットレスを提供することを課題とする。【解決手段】芯材部２と、芯材部２の外側に形成され、複数のネット５と少なくとも１層のクッション層６とを交互に積層させた表層部３と、芯材部２及び表層部３を包囲する外カバー４と、を備えたマットレス１であって、各ネット５を構成する糸状体５ａの外径は、芯材部２から離間するにしたがって小さくなるように形成されていることを特徴とする。【選択図】図１
2010178935.tif 000002
【特許請求の範囲】
【請求項１】
芯材部と、
前記芯材部の外側に形成され、複数のネットと少なくとも１層のクッション層とを交互に積層させた表層部と、
前記芯材部及び前記表層部を包囲する外カバーと、を備えたマットレスであって、
前記各ネットを構成する糸状体の外径は、前記芯材部から離間するにしたがって小さくなるように形成されていることを特徴とするマットレス。
【請求項２】
前記クッション層は、複数積層されており、
前記各クッション層の硬度は、前記芯材部から離間するにしたがって小さくなるように形成されていることを特徴とする請求項１に記載のマットレス。
【請求項３】
前記ネットと前記外カバーとの間には、前記クッション層が積層されていることを特徴とする請求項２に記載のマットレス。
【請求項４】
前記ネットの周縁部は、前記芯材部の周縁部に沿って多重に重ね合わされていることを特徴とする請求項１乃至請求項３のいずれか一項に記載のマットレス。
【発明の詳細な説明】
【技術分野】
【０００１】
本発明は、マットレスに関する。
【背景技術】
【０００２】
従来、寝具として使用するマットレスは、快適な眠りを導くために、良い姿勢が保てる支持性、身体との接触面にソフトな感触を与えるクッション性、睡眠中の体温の変化に対応するための保温性、さらには、適度な湿度を保つ透湿性、吸湿性及び放湿性など非常に多くの性能が求められている。特に、相反する支持性とクッション性という２つの性能を同時に両立させることが強く求められている。
【０００３】
例えば、特許文献１には、マットレスの芯となる芯材部と、芯材部の上面を覆うネットとを主に有するマットレスが記載されている。
【先行技術文献】
【特許文献】
【０００４】
【特許文献１】特開平８−３１７８３７号公報（図１参照）
【発明の概要】
【発明が解決しようとする課題】
【０００５】
ところで、直立時における人の背骨は緩やかなＳ字型を描いており、この直立時における背骨の状態を就寝時（仰臥位）においても保持することが理想的な寝姿勢であることが知られている。しかし、前記した芯材部の上面にネットを設ける構成では、支持性が過剰に向上しクッション性が著しく低下するため、大きな荷重が加わる尻部や背部辺りを中心に身体の沈み込みが過剰に小さくなるという問題があった。その結果、直立時における背骨の状態を就寝時に保持することができなかった。また、身体の沈み込みが過剰に小さくなると、局所的な圧迫感や痛みを感じたり、ネットの接触感を強く感じたりするため、寝心地が悪くなっていた。
【０００６】
そこで、このような問題を解決するものとして、例えば、マットレスの上にクッション性の優れた敷布団やマットを載せたり、ネットの上に分厚いクッション部材を設けたりする手段が講じられていた。しかし、このような手段によると、クッション性が過剰に向上し支持性が著しく低下するため、寝返りをうつ際に横揺れや振動が生じたり、身体の沈み込みが大きくなったりして、寝心地が悪くなっていた。つまり、ネットを設けたことにより向上した支持性が損なわれていた。
【０００７】
本発明はこのような観点から創案されたものであり、支持性とクッション性との両立を好適に図ることができるマットレスを提供することを課題とする。
【課題を解決するための手段】
【０００８】
前記課題を解決するため本発明は、芯材部と、前記芯材部の外側に形成され、複数のネットと少なくとも１層のクッション層とを交互に積層させた表層部と、前記芯材部及び前記表層部を包囲する外カバーと、を備えたマットレスであって、前記各ネットを構成する糸状体の外径は、前記芯材部から離間するにしたがって小さくなるように形成されていることを特徴とする。
【０００９】
本発明によれば、芯材部側には、糸状体の外径が大きい比較的硬いネットが積層されているため、芯材部側の支持性が向上する。これにより、寝返りをうつ際に生じる横揺れや振動を防止するとともに、大きな荷重が加わる尻部や背部周辺の過剰な沈み込みを防止することができる。
【００１０】
また、各ネットの糸状体の外径が芯材部から離間するにしたがって小さくなっているため、人体側は比較的柔らかい層となる。これにより、人体側のクッション性が向上するため、直立時における背骨の状態を就寝時においても保持することができるとともに、局所的な圧迫感や痛みを抑制し、さらにはネットの接触感を軽減することができる。つまり、本発明によれば、支持性とクッション性との両立を好適に図ることができる。
【００１１】
また、クッション層は複数積層されており、各クッション層の硬度は、芯材部から離間するにしたがって小さくなるように形成されていることが好ましい。このようにすると、芯材部側から人体側に向かうにしたがって比較的柔らかい層となり、人体側のクッション性がより向上する。
【００１２】
また、ネットと外カバーとの間には、クッション層が積層されていることが好ましい。このようにすると、人体とネットとの間にクッション層が介在するため、ネットの接触感をより軽減することができる。
【００１３】
また、前記ネットの周縁部は、前記芯材部の周縁部に沿って多重に重ね合わされていることが好ましい。マットレスの周縁部は、マットレスの乗降時に大きな荷重が加わるためヘタリやすい。しかし、かかる構成によればマットレスの周縁部の支持性が向上するため、ヘタリを防止することができる。
【発明の効果】
【００１４】
本発明にかかるマットレスによれば、支持性とクッション性との両立を好適に図ることができる。
【図面の簡単な説明】
【００１５】
【図１】図１は、本実施形態に係るマットレスを示す一部破断斜視図である。
【図２】図２は、図１のＸ−Ｘ線断面図である。
【図３】図３は、本実施形態に係るマットレスに人が寝た状態を示す模式断面図である。
【図４】図４は、変形例に係る第一ネットの構成を示す分解斜視図である。
【発明を実施するための形態】
【００１６】
次に、本発明の実施形態について、適宜図面を用いて詳細に説明する。
なお、本実施形態の説明における上下前後左右は図１の矢印に従う。また、説明における「外側」とは、「芯材部２に対して離間する側（使用時における身体接触面側）」をいう。
【００１７】
本実施形態に係るマットレス１は、図１に示すように、ベッドの上に敷く厚手の敷物であって、略直方体を呈する。マットレス１は、マットレス１の最下部に設けられる芯材部２と、芯材部２の外側に形成される表層部３と、芯材部２及び表層部３を包囲する（覆う）外カバー４とを主に備えている。
【００１８】
芯材部２は、図１及び図２に示すように、マットレス１の最下部に配設される芯材であって、主として支持性を備える。また、芯材部２を備えることで、いわゆる底付き感を低減することができる。本実施形態の芯材部２は、例えば、比較的硬度の低いウレタンからなり板状を呈する。本実施形態では、芯材部２の厚みを約１５０ｍｍ、幅を約９００ｍｍ、長さを約１９００ｍｍに形成しているが、芯材部２の寸法はマットレス１の設計にしたがって、適宜設定すればよい。
【００１９】
なお、芯材部２は、本実施形態では、ウレタン単体から構成したが、これに限定されるものではなく、スプリングを配設してもよいし、ポリエステル、ラテックス、樹脂発泡体、繊維等の材料を用いてもよい。また、これらの材料を組み合わせて構成してもよい。また、芯材部２の硬度は、適宜設定すればよい。
【００２０】
表層部３は、図１及び図２に示すように、第一ネット５Ａ、第二ネット５Ｂ及び第三ネット５Ｃと、第一クッション層６Ａ、第二クッション層６Ｂ及び第三クッション層６Ｃとを交互に積層して形成されている。
説明においては、第一ネット５Ａ、第二ネット５Ｂ及び第三ネット５Ｃの各ネットを単にネット５ともいう。また、第一クッション層６Ａ、第二クッション層６Ｂ及び第三クッション層６Ｃの各クッション層を単にクッション層６ともいう。
【００２１】
ネット５は、主として人体の体重を支える支持性を備えている。ネット５は、図１に示すように、合成樹脂から成る複数の糸状体５ａを格子状に交差させて形成されている。ネット５は、図１及び図２に示すように、芯材部２側から外側に向かうにしたがって、各ネット５を構成する糸状体５ａの外径（幅寸法）及び網目の大きさ（網目の一辺当たりの長さ）が小さくなるように形成したことを特徴とする。なお、本実施形態では、ネット５を構成する糸状体５ａの材料として合成樹脂を用いたが、これに限定されるものではなく他の素材を用いてもよい。
【００２２】
第一ネット５Ａは、芯材部２の上面に積層されている。第一ネット５Ａを構成する糸状体５ａの外径は、例えば、３ｍｍに形成されており、第一ネット５Ａ乃至第三ネット５Ｃの中で最も大きく形成されている。また、第一ネット５Ａの網目の大きさは、第一ネット５Ａ乃至第三ネット５Ｃの中で最も大きく形成されている。第一ネット５Ａは、第一ネット５Ａ乃至第三ネット５Ｃの中で最も高い支持性を備えている。
【００２３】
第二ネット５Ｂは、第一ネット５Ａと略同等の大きさからなり、第一クッション層６Ａの上面に積層されている。第二ネット５Ｂを構成する糸状体５ａの外径は、例えば、２ｍｍに形成されており、第一ネット５Ａよりも小さく形成されている。また、第二ネット５Ｂの網目の大きさは、第一ネット５Ａよりも小さく形成されている。第二ネット５Ｂは、第一ネット５Ａよりも低い支持性を備えている。
【００２４】
第三ネット５Ｃは、第二ネット５Ｂと略同等の大きさからなり、第二クッション層６Ｂの上面に積層されている。第三ネット５Ｃを構成する糸状体５ａの外径は、例えば、１ｍｍに形成されており、第一ネット５Ａ乃至第三ネット５Ｃの中で最も小さく形成されている。また、第三ネット５Ｃの網目の大きさは、第一ネット５Ａ乃至第三ネット５Ｃの中で最も小さく形成されている。第三ネット５Ｃは、第一ネット５Ａ乃至第三ネット５Ｃの中で最も低い支持性を備えている。
なお、糸状体５ａの外径は、芯材部２側から３ｍｍ、２ｍｍ、１ｍｍに形成しているが、芯材部２の硬度によって、適宜設定すればよい。
【００２５】
クッション層６は、主として人体にソフトな感触を与えるクッション性を備えている。クッション層６は、例えば、ウレタンもしくは樹脂の発泡体からなり薄板状を呈する。クッション層６の厚さ寸法は、特に限定されるものではないが、例えば、１ｍｍ〜３０ｍｍに形成されている。
【００２６】
第一クッション層６Ａ、第二クッション層６Ｂ及び第三クッション層６Ｃはそれぞれ略同等の大きさからなる。第一クッション層６Ａ、第二クッション層６Ｂ及び第三クッション層６Ｃは、芯材部２側から外側に向かうにしたがって、その硬度が小さくなるように形成されている。
【００２７】
第一クッション層６Ａは、第一ネット５Ａと第二ネット５Ｂとの間に積層されている。第一クッション層６Ａの硬度は、例えば、１００Ｎを超えるように設定されており、第一クッション層６Ａ乃至第三クッション層６Ｃの中で硬度が最も大きい。
【００２８】
第二クッション層６Ｂは、第二ネット５Ｂと第三ネット５Ｃとの間に積層されている。第二クッション層６Ｂの硬度は、例えば、６０〜１００Ｎの範囲内に設定されており、第一クッション層６Ａよりも硬度が小さい。
【００２９】
第三クッション層６Ｃは、第三ネット５Ｃと外カバー４との間に積層されている。第三クッション層６Ｃの硬度は、例えば、６０Ｎ未満の柔らかめに設定されており、第一クッション層６Ａ乃至第三クッション層６Ｃの中で硬度が最も小さい。
【００３０】
なお、クッション層６を構成する素材は、ウレタンや樹脂の発泡体に限定されるものではなく、合成繊維、天然繊維等の繊維素材から適宜選択してもよい。また、クッション層６は、布地や不織布などを用いてもよい。さらに、クッション層６を繊維素材で構成する場合には、例えば、各クッション層６を構成する繊維の外径や密度などを適宜調節することによって、各クッション層６間に硬度差をつけてもよい。具体的には、繊維の外径を小さくしたり、繊維の密度を小さくしたりして硬度差をつけてもよい。
【００３１】
外カバー４は、図１及び図２に示すように、芯材部２及び表層部３を包み込む部材である。外カバー４の素材は特に限定するものではないが、例えば綿製の布地（以下、綿布という）を用いる。
【００３２】
また、図１に示すように、マットレス１の側面には、ファスナー７が形成されている。ファスナー７は、マットレス１の側面１ａ、側面１ｂ及び側面１ｃに亘って高さ方向の中央に形成されている。即ち、マットレス１の側面１ｄにはファスナー７が設けられていないため、ファスナー７を全開状態にすると側面１ｄを基点にして、外カバー４が開くように形成されている。なお、マットレス１の側面全周に亘って、ファスナー７が設けられていてもよい。
【００３３】
次に、本実施形態に係るマットレス１の製造方法の一例について説明する。
まず、ウレタンを用いて所定の寸法で芯材部２を形成する。また、合成樹脂から成る複数の糸状体５ａを格子状に交差させるとともに、交点において互いに融着させて、所定の寸法で第一ネット５Ａ、第二ネット５Ｂ及び第三ネット５Ｃを形成する。さらに、繊維を用いて所定の寸法で第一クッション層６Ａ，第二クッション層６Ｂ及び第三クッション層６Ｃを形成する。
【００３４】
そして、芯材部２の上面に、第一ネット５Ａを積層する。次に、第一ネット５Ａの上側に、第一クッション層６Ａ、第二ネット５Ｂ、第二クッション層６Ｂ、第三ネット５Ｃ、第三クッション層６Ｃの順に積層する。
【００３５】
最後に、外カバー４で芯材部２及び表層部３を覆いファスナー７を閉めてマットレス１が完成する。なお、マットレス１の製造工程は、前記した工程に限定されるものではない。また、芯材部２、ネット５及びクッション層６が、互いの接触面を接着して一体になったものを外カバー４で覆ってもよいし、又は単に積層された状態のものを外カバー４で覆っても構わない。
【００３６】
以上説明した本実施形態に係るマットレス１によれば、芯材部２側には、糸状体５ａの外径が大きい比較的硬い第一ネット５Ａおよび第二ネット５Ｂが積層されているため、芯材部２側の支持性が向上する。これにより、寝返りをうつ際に生じる横揺れや振動を防止するとともに、大きな荷重が加わる尻部や背部周辺の過剰な沈み込みを防止することができる。
【００３７】
また、第一ネット５Ａ、第二ネット５Ｂ及び第三ネット５Ｃの糸状体５ａの外径は芯材部２から離間するにしたがって小さくなるため、人体側は比較的柔らかい層となる。これにより、人体側のクッション性が向上するため、直立時における背骨の状態（背骨の自然な湾曲）を就寝時においても保持することができるとともに、局所的な圧迫感や痛みを抑制し、さらにはネット５の接触感を軽減することができる。
【００３８】
さらに、本実施形態では、クッション層６の硬度を芯材部２側から離間するにしたがって小さくすることによって、芯材部２側は比較的硬い層となり、人体側は比較的柔らかい層となる。つまり、クッション層６によって、芯材部２側の支持性がより向上するとともに、人体側のクッション性がより向上している。
【００３９】
図３に示すように、マットレス１に使用者Ｓの荷重が作用すると、第三クッション層６Ｃは荷重を受け、硬度が比較的小さい（支持性が低い）ため下側（芯材部２側）に押し潰されて下側に向かって変形する。第三ネット５Ｃは、第三クッション層６Ｃを介して上側からの荷重を受け、支持性が比較的低いため下側に向かって変形する。
【００４０】
第二クッション層６Ｂは、上側からの荷重を受け、押し潰されて下側に向かって少し変形する。すなわち、第二クッション層６Ｂは、第三クッション層６Ｃよりも硬度が大きい（支持性が高い）とともに、第三クッション層６Ｃ及び第三ネット５Ｃによって使用者Ｓの荷重の一部が吸収されているため、第三クッション層６Ｃよりも変形量が減少する。
【００４１】
第二ネット５Ｂは、上側からの荷重を受け、下側に向かって少し変形する。すなわち、第二ネット５Ｂは、第三ネット５Ｃよりも支持性が高いとともに、第二クッション層６Ｂによって使用者Ｓの荷重の一部がさらに吸収されているため、第三ネット５Ｃよりも変形量が減少する。
【００４２】
第一クッション層６Ａは、上側からの荷重を受けるが、第二クッション層６Ｂよりも硬度が大きい（支持性が高い）とともに、第二ネット５Ｂによって使用者Ｓの荷重の一部がさらに吸収されているため、ほとんど押し潰されず第二クッション層６Ｂよりも変形量が減少する。
【００４３】
第一ネット５Ａは、上側からの荷重を受けるが、第二ネット５Ｂよりも支持性が高いとともに、第一クッション層６Ａによって使用者Ｓの荷重の一部がより一層吸収されているため、ほとんど変形しない。
【００４４】
以上のように、本実施形態のマットレス１は、上側から下側に向かうにつれて、支持性が徐々に高まり、マットレス１の上側から加わった使用者Ｓの荷重が徐々に吸収されるため、使用者Ｓにソフトな感触を与えつつ、使用者Ｓをしっかりと支えることができる。つまり、本実施形態のマットレス１によれば、支持性とクッション性との両立を好適に図ることができる。
【００４５】
また、本実施形態に係るマットレス１によれば、第一ネット５Ａ、第二ネット５Ｂ及び第三ネット５Ｃの糸状体５ａの網目を芯材部２から離間するにしたがって小さくすることによって、各ネット５の網目の交点がずれるため、マットレス１に加わる荷重を分散することができる。
【００４６】
また、本実施形態に係るマットレス１によれば、第三ネット５Ｃと外カバー４との間に、第三クッション層６Ｃが積層されることによって、人体と第三ネット５Ｃとの間に第三クッション層６Ｃが介在するため、第三ネット５Ｃの接触感をより軽減することができる。
【００４７】
また、本実施形態のマットレス１は、芯材部２に、糸状体５ａの外径が大きい第一ネット５Ａを積層させるだけで、比較的硬い層となる。これにより、芯材部２側の支持性が向上するため、比較的硬度の低い材料を芯材部２に用いることが可能となり、ひいては材料コストの低減を図ることができる。
【００４８】
以上、本発明の実施形態について説明したが、本発明の趣旨を逸脱しない範囲で適宜変更して実施できるのはいうまでもない。例えば、本実施形態に係るマットレス１の構造を、座布団、椅子類のクッションシート、枕等に適用してもよい。
【００４９】
また、芯材部２やクッション層６に、上下方向に貫通する複数の貫通孔を形成してもよい。このようにすると、透湿性（通気性）が高まり、人体から発生した汗などの水分や湿気が芯材部２やクッション層６を透過しやすくなるため、マットレス１の内部に水分や湿気が溜まることを防止することができる。
【００５０】
また、ネット５を構成する糸状体５ａの外径を調節したり、積層するネット５の枚数を増減したり、又はこれらの手段を適宜組み合わせたりすることによって、マットレス１の支持性やクッション性を容易に且つ幅広く調整することが可能となる。従って、使用者Ｓに適合したマットレス１を容易に作製できるとともに、幅広い体型の使用者Ｓに対応（適応）することができる。また、マットレス１のうち、例えば大きな荷重が加わる尻部や背部周辺が局所的にヘタルことを簡易に防止することができる。
【００５１】
また、本実施形態のマットレス１は、少なくとも二枚のネット５とこのネット５間に積層される少なくとも一枚のクッション層６とを有することが必須であるが、この条件を満たす限りネット５及びクッション層６の積層枚数、積層パターンを適宜変更してもよい。例えば、二枚のネット５で、二枚のクッション層６を狭持するように積層してもよい。
【００５２】
また、本実施形態では、芯材部２側から上側に向けてネット５及びクッション層６を積層しているが、芯材部２の外周を層状に覆うようにネット５及びクッション層６を積層してもよい。
【００５３】
また、本実施形態では、各ネット５及び各クッション層６の大きさ（横断面積）は、芯材部２に対応する大きさに形成されているが、これに限定されることなく、ネット５及びクッション層６の一部を芯材部２より小さく形成して局所的（部分的）に設けてもよい。このようにネット５及びクッション６の積層枚数を局所的に増減することで、使用者Ｓの体型や好みに応じて、クッション性と支持性を局所的に微調整することができる。例えば、第三ネット５Ｃを尻部周辺のみに配置すると、尻部周辺の支持性がその他の部分より向上して、尻部周辺の沈み込みやヘタリを良好に防止することができる。
【００５４】
また、例えば、各クッション層６の厚さ寸法を適宜調節することによって各クッション層６間に硬度差をつけてもよい。具体的には、芯材部２から外側に向かうにしたがってクッション層６の厚さ寸法を小さくすることによって、各クッション層６間に硬度差をつけてもよい。
【００５５】
また、図４に示すように、第一ネット５Ａを多重積層構造にしてもよい。変形例に係る第一ネット５Ａは、芯材部２の周縁部に沿って積層される補強部５１と、芯材部２に対応する形状及び大きさ（横断面積）に形成された本体部５２とから構成されている。
【００５６】
補強部５１は、所定幅を有し且つ芯材部２の短手方向両端側に沿って積層される第一補強部５１ａ，５１ａと、所定幅を有し且つ芯材部２の長手方向両端側に沿って積層される第二補強部５１ｂ，５１ｂとを有している。
【００５７】
第一補強部５１ａ及び第二補強部５１ｂは、互いの端部同士が重なり合うように芯材部２の周縁部に沿って積層されている。本体部５２は、第一補強部５１ａと第二補強部５１ｂを上方から覆うように積層されている。すなわち、変形例に係る第一ネット５Ａの周縁部は、芯材部２の周縁部に沿って多重に重ね合わされており、第一ネット５Ａの周縁部のうち四隅が三重に、四隅以外の部分が二重に積層されている。
【００５８】
なお、補強部５１の積層枚数は何枚でもよいし、第二ネット５Ｂ、第三ネット５Ｃに設けてもよい。また、補強部５１を各ネット５に同時に設けてもよい。さらに、本変形例では、補強部５１を第一補強部５１ａと５１ｂとに四分割して形成したが、一体的に連続して形成してもよい。
【００５９】
マットレス１の周縁部は、乗降時に大きな荷重が加わりヘタリやすい部分であるが、このように、芯材部２の周縁部に沿って補強部５１を積層することによって、マットレス１の周縁部の支持性が向上するため、マットレス１の周縁部がヘタルことを防止することができる。
【符号の説明】
【００６０】
１      マットレス
２      芯材部
３      表層部
４      外カバー
５      ネット
５Ａ    第一ネット
５Ｂ    第二ネット
５Ｃ    第三ネット
５ａ    糸状体
５１    補強部
５１ａ  第一補強部
５１ｂ  第二補強部
５２    本体部
６      クッション層
６Ａ    第一クッション層
６Ｂ    第二クッション層
６Ｃ    第三クッション層
【図１】
2010178935.tif 000003
【図２】
2010178935.tif 000004
【図３】
2010178935.tif 000005
【図４】
2010178935.tif 000006